(57)【要約】  本発明は、靴下、特にスポーツ活動時に使用するための靴下に関する。靴下は、アキレス腱の領域に、少なくとも２つのクッション（２４）により形成されているクッション部を有する。クッション（２４）間に、それぞれ１つの実質的に水平に方向付けられたギャップ（２５）が形成されている。
2009508016.tif 000002
【特許請求の範囲】
【請求項１】
靴下、特にスポーツ活動時に使用するための靴下であって、アキレス腱の領域に、少なくとも２つのクッションにより形成されているクッション部を有する形式のものにおいて、クッション（２４）間に、それぞれ１つの実質的に水平に方向付けられたギャップ（２５）が形成されていることを特徴とする、靴下。
【請求項２】
クッション（２４）が、曲げられた形状を有する、請求項１記載の靴下。
【請求項３】
クッションの形状が、アキレス腱の領域の足の解剖学的な形状に合わされている、請求項１または２記載の靴下。
【請求項４】
踵に隣接するクッション（２４）が、すべてのクッション（２４）のうち、最大の寸法を有する、請求項１から３までのいずれか１項記載の靴下。
【請求項５】
クッション（２４）が、鉛直に方向付けられたウェブ（２６）により分割されている、請求項１から４までのいずれか１項記載の靴下。
【請求項６】
ウェブ（２６）が、エアコンディショニング機能を有するクロスから製作されている、請求項５記載の靴下。
【請求項７】
ウェブ（２６）が、クッションの形式で形成されている、請求項５または６記載の靴下。
【請求項８】
クッション（２４）が、まわりをウールまたはコットンで覆われた中空繊維からなる、請求項１から７までのいずれか１項記載の靴下。
【請求項９】
靴下が、別のクッション（２２）を有する、請求項１から８までのいずれか１項記載の靴下。
【発明の詳細な説明】
【技術分野】
【０００１】
本発明は、靴下、特にスポーツ活動時に使用するための靴下であって、アキレス腱の領域に、少なくとも２つのクッションにより形成されているクッション部を有する形式のものに関する。
【０００２】
特にスポーツ活動時、人の足は一般に硬質の履物の中に収容されている。加えて、足はその際にしばしば靴下に包まれている。多くの速い動きに基づいて、スポーツ活動時、動的な衝撃負荷に由来する、靴内での足の摩擦の増大が生じる。このことは特に、突出したアキレス腱の領域にも言える。靴胴部の、履物次第で異なる高さでアキレス腱に接触する一般に硬い縁部により、アキレス腱にはさらに、点状に作用する摩擦および衝撃の作用により極端な負荷がかかり得る。このことは、足の早期の疲労ならびに靴擦れの他、アキレス腱を痛めることにもつながる。
【０００３】
摩擦ならびに衝撃を減じ、ひいては靴擦れおよびアキレス腱の負傷を回避するために、とりわけ、アキレス腱の領域を１つのクッションの配置により保護することが公知である（ドイツ連邦共和国実用新案第２９７１５７６２号明細書参照）。さらに、生じる摩擦および衝撃の負荷からアキレス腱を遠ざけるために、アキレス腱に沿って両側に配置されている２つのスペーサクッション（Ｄｉｓｔａｎｚｐｏｌｓｔｅｒ）を設けることが公知である（ドイツ連邦共和国実用新案第２０２１７３３２号明細書）。公知のクッションは、自らに課された課題を満たす。しかし、公知のクッションは、付加的に加工される材料に基づいて、アキレス腱の領域における足の運動自由度を制限してしまうという欠点を有する。加えて、付加的に加工される材料は、靴下内の気候調節、いわゆるエアコンディショニングが特にスポーツ活動時に、早期の疲労の回避および水疱形成の危険に関して重大な意味を有しているため、望ましくない熱絶縁に至る。
【０００４】
ここで本発明は対策を講じる。本発明の課題は、アキレス腱の保護を維持しながら、一方ではアキレス腱の領域における可動性を保証し、他方ではアキレス腱の領域におけるエアコンディショニングの改善を可能にすることである。本発明によりこの課題は、クッション間に、それぞれ１つの実質的に水平に方向付けられたギャップ（Ｆｕｇｅ）が形成されていることにより解決される。
【０００５】
本発明により、靴内でのアキレス腱の保護をさらに改善する靴下、特にスポーツ活動のための靴下が提供されている。クッションの間に設けられるギャップにより、アキレス腱の保護を維持しながら、アキレス腱の領域における可動性が改善されている。それというのも、靴下はこれにより踵の領域で一種の「目標折れ箇所（Ｓｏｌｌｋｎｉｃｋｓｔｅｌｌｅ）」を有するからである。加えて、アキレス腱の領域でのエアコンディショニングの改善が可能である。それというのも、一方では、アキレス腱の保護のための、連続した付加的な材料が設けられておらず、他方では、ギャップが通気・排気通路の機能を請け負うからである。
【０００６】
有利には、クッションが、曲げられた形状を有する。これにより、靴下を取り囲む履物に対する極めて良好な遮蔽が提供され、かつ均等な圧力分布が惹起されている。
【０００７】
本発明の別の有利な構成では、クッションが、鉛直に方向付けられたウェブにより分割されている。クッションに対して奥まったウェブにより、クッションはアキレス腱の側方で最適な位置に保持される。さらに、アキレス腱と靴との間のスペースが実現されている。これにより、アキレス腱が摩擦負荷および衝撃負荷に曝されないようにすることができる。
【０００８】
本発明の別の有利な構成では、ウェブが、クッションの形式で形成されている。クッションとして形成されたウェブは、クッションよりも僅かな厚さを有する。ウェブの付加的なクッション化により、アキレス腱の保護はさらに向上される。一方では、ウェブのより僅かな厚さにより、スペーサクッションが確実にアキレス腱の両側のその位置に、激しいスポーツ活動時にも維持されることが保証されている。他方では、アキレス腱自体が、ウェブのクッション化により、摩擦負荷および衝撃負荷から付加的に保護されている。
【０００９】
本発明の別の有利な構成では、クッションの形状が、アキレス腱の領域の足の解剖学的な形状に合わされている。これにより、クッション部による動的な衝撃負荷の吸収は最適化され、アキレス腱の負荷は最小化される。
【００１０】
本発明の別の有利な構成は、他の従属請求項に記載されている。つまり、本発明の別の有利な構成では、踵に隣接するクッションが、すべてのクッションのうち、最大の寸法を有する。本発明のさらに別の有利な構成では、ウェブが、エアコンディショニング機能を有するクロスから製作されている。本発明のさらに別の有利な構成では、クッションが、まわりをウールまたはコットンで覆われた中空繊維からなる。本発明のさらに別の有利な構成では、靴下が、別のクッションを有する。以下に、本発明の実施例を図面に示し、詳細に説明する。
図１：足外側から見た靴下の図である。
図２：図１に示した靴下を後ろから見た図である。
図３：別の実施形態の靴下を後ろから見た図である。
図４：さらに別の実施形態の靴下を後ろから見た図である。
【００１１】
実施例として選択された靴下は、足部１および胴部２からなる。足部１は、爪先領域１１、踵領域１２、および爪先領域と踵領域との間にある足底領域１３を有する。これらの領域１１，１２，１３は、実施例に示すように、強化された材料から製作されていることができる。例えば弾性繊維材料、例えばエラスタンを含むバージンウール（Ｓｃｈｕｒｗｏｌｌｅ）のような材料組み合わせの使用も可能である。上記領域に付加的なクッションまたはパッドを配置することも可能である。
【００１２】
胴部２には、足部１とは反対側の端部に、履口部２１が設けられている。踝の領域には胴部２にクッション２２が設けられている。その際、図示の例では、履口部２１に向かって曲げられたクッション２２が設けられている。他形状のクッション、例えば棒状パッド（Ｓｔａｂｐａｄｄｉｎｇｓ）も可能である。
【００１３】
アキレス腱の領域にはクッション部が設けられている。クッション部は少なくとも２つのクッション２４から形成されている。図１および図２に示す実施例では、クッション部が３つのクッション２４から形成されている。クッション２４は、この構成では、曲げられた形状およびそれぞれ異なる寸法を有する。その際、クッション２４は踵領域１２に向かって曲げられている。クッション２４の最も外側の端部は、隣接するクッション２４の最高点の下に位置する領域まで、踵領域１２に向かって下方に曲げられている。これにより、靴下を取り囲む履物に対する極めて良好な遮蔽が提供されており、均等な圧力分布が惹起される。踵領域１２に隣接するクッション２４は、全てのクッション２４のうち、最大の寸法を有する。ギャップ２５の形状はクッション２４の形状に依存している。
【００１４】
図３および図４に示す実施例では、クッション２４の形状が、アキレス腱の領域の足の解剖学的構造に合わされている。クッション２４は踵領域１２で始まり、徐々に狭まって履口部２１の領域で終わる。踵領域１２に隣接するクッション２４は、その側方の端部で、足の、アキレス腱と踝との間に形成される窪み内を延在する。これにより、靴内での足の極めて良好なサポートが惹起されている。
【００１５】
図３および図４に示す実施例でも、クッション２４の間に、それぞれ１つの実質的に水平に方向付けられたギャップ２５が設けられている。さらに、図３および図４に示す実施例では、クッション２４が、鉛直に方向付けられたウェブ２６により分割されている。ウェブ２６はやはり踵領域１２と履口部２１との間で延び、アキレス腱を収容する。クッション２４はその際、ウェブ２６に対して張り出すように形成されている。これにより、アキレス腱が、取り囲む履物に対して十分な間隔を有することが保証されている。摩擦および衝撃の作用は、アキレス腱に負荷がかかることなく、直接クッション２４により吸収される。ウェブ２６はやはりクッションの形式で形成されていることができ、この場合、隣接するクッション２４よりも小さな厚さを有する。
【００１６】
靴下はさらに、図示しないＸ−クロスバンテージ（Ｘ−Ｃｒｏｓｓ−Ｂａｎｄａｇｅ）を装備していることができる。このＸ−クロスバンテージは、エアコンディショニング機能を有する弾性的なクロスから形成されている。Ｘ−クロスバンテージは、脚と足との間の移行領域にある踝をサポートする。
【００１７】
さらに靴下には、図示しない空気通路が設けられていることができる。空気通路は、一般に、足底領域１３から履口部２１まで達し、エアコンディショニング機能を有する編込クロスから形成されている。空気通路は、湿気を足底領域から上方に導出するために役立つ。このような空気通路は、靴下の脚内側および脚外側に設けられていてもよい。
【００１８】
クッションは一般にプラスチックヤーンまたはコンパウンドクロスまたはコンパウンドヤーンまたはこれに類する材料から製作されている。実施例では、靴下のクッション部は、まわりがウールまたはコットンで覆われている中空繊維から製作されている。中空プラスチックヤーンは特に強く衝撃および圧力を緩衝する。足底領域１３は、摩耗を減じるために役立つマイクロファイバニットから製作されている。爪先および踵領域でも、要求次第では、フットベッドがマイクロファイバから製作されている。
【００１９】
明細書および特許請求の範囲では靴下について言及しているが、本発明はソックスに限定されるものではない。むしろ、靴下という概念には、ストッキング、パンティストッキングおよびこれに類するものも含まれる。本発明はやはりこれらのものにも関する。その際、スペーサクッションは、必ずしも踵領域から履口部まで延ばされていなくてもよい。
【図面の簡単な説明】
【００２０】
【図１】足外側から見た靴下の図である。
【図２】図１に示した靴下を後ろから見た図である。
【図３】別の実施形態の靴下を後ろから見た図である。
【図４】さらに別の実施形態の靴下を後ろから見た図である。
【図１】
2009508016.tif 000003
【図２】
2009508016.tif 000004
【図３】
2009508016.tif 000005
【図４】
2009508016.tif 000006
【国際調査報告】
2009508016.tif 000007
2009508016.tif 000008
2009508016.tif 000009
2009508016.tif 000010
2009508016.tif 000011
2009508016.tif 000012